(57)【要約】【課題】  従来のメガホンは、合成樹脂製の拡声筒が固く、振り回している内に自分に当ったり隣の人に当ったりすると痛感を受ける場合があった。本発明はこのような問題を解決する。【解決手段】  拡声筒と吹き口とから成るメガホンに於いて、少なくとも前記拡声筒がゴムやポリウレタン等のフォーム素材から成るものである、フォームメガホンとした。なお前記拡声筒の周りにシュリンクフィルムなどの外装フィルムが被せられているものとしても良い。また更に外装フィルムが被せられている部位に、首から吊す紐を掛けるための紐通し孔を空けたものとしても良い。また前記拡声筒の内側に中芯が形成されているものとしても良い。また更に拡声筒と中芯との間に中空部が形成されているものとしても良い。この他中芯のある部位に、首から吊す紐を掛けるための紐通し孔が空けられているものとしても良い。【選択図】図１
2011059654.tif 000002
【特許請求の範囲】
【請求項１】
拡声筒と吹き口とから成るメガホンに於いて、少なくとも前記拡声筒がゴムやポリウレタン等のフォーム素材から成るものであることを特徴とする、フォームメガホン。
【請求項２】
少なくとも前記拡声筒の周りに外装フィルムが被せられている、請求項１に記載のフォームメガホン。
【請求項３】
前記外装フィルムが被せられている部位に、首から吊す紐を掛けるための紐通し孔が空けられている、請求項２に記載のフォームメガホン。
【請求項４】
少なくとも前記拡声筒の内側に中芯が形成されている、請求項１に記載のフォームメガホン。
【請求項５】
前記拡声筒と前記中芯との間に中空部が形成されている、請求項４に記載のフォームメガホン。
【請求項６】
前記中芯のある部位に、首から吊す紐を掛けるための紐通し孔が空けられている、請求項４に記載のフォームメガホン。
【発明の詳細な説明】
【技術分野】
【０００１】  本発明は、スポーツ観戦時等に於いて用いられる軽量で安全性の高いメガホンに関する。
【背景技術】
【０００２】  スポーツ観戦時に声援が選手に届くようにしたりサポータ同士の意気を高揚させるためにメガホンが用いられる。特に電子回路としての拡声装置を備えるようなものではなく、声援に指向性を与える（両手を筒のようにして口の周りに当てるのと同じであるが、指向性故に良く聞こえるようになるため、以下ではこれも拡声と言う）ためのメガホンは、その殆どのものの拡声筒が合成樹脂製に成るものである。【０００３】  このようなメガホンは拡声の役割を担うわけであるが、ユーザーはただ拡声のためだけに用いるのではなく手で叩いたり振り回したりして応援に用いている。またメガホンを２個持っている場合にはこれ等を叩き合わせて応援するようなことも普通に行われている。この一例として当発明者の発明になる特許３０９９２８４のメガホンを上げる。
【先行技術文献】
【特許文献】
【０００４】
【特許文献１】特許第３０９９２８４号「メガホン」（図３）
【発明の概要】
【発明が解決しようとする課題】
【０００５】  このようなメガホンは上述したような構成であるために、合成樹脂製の拡声筒が固く、振り回している内に自分に当ったり隣の人に当ったりすると痛感を受ける場合がある。【０００６】  上述のような人に当ることを問題とするのであればこれを是非とも解決しなくてはならない。そこで本発明は人に当っても比較的に影響が少ないような、そうしたメガホンの提供を課題とする。
【課題を解決するための手段】
【０００７】  上記の課題は、拡声筒と吹き口とから成るメガホンに於いて、少なくとも前記拡声筒がゴムやポリウレタン等のフォーム素材から成るものであることを特徴とする、フォームメガホンとすることにより達成される。【０００８】  これまでのメガホンは合成樹脂製の言わば固い拡声筒を備えている。従ってこれが人に当ると痛感を与えてしまうのである。そこで拡声筒をゴムやポリウレタン等のフォーム素材から成るものとしたのである。このようなメガホンはこれまでにないものである。主に人に当る部位である拡声筒が、或いは拡声筒と吹き口とを含むメガホンの全体が、フォーム素材から成れば、フォーム素材は独立気泡または連続気泡を有して、極めてソフトであり且つ軽量である。従って人に当ってもそれほど痛くはないものとなるのである。なおゴムやポリウレタン等のフォーム素材には復元力に優れる性質がある。【０００９】  なお従来のメガホンはそれなりの重量を持っているため、長い時間掲げていると重くなってしまう問題がある。すなわち応援中にはメガホンを持った腕を常に上げた状態でいることが多いため、メガホンが重く感じられることがある。ところがこの発明によれば、重量の殆どを占める拡声筒、或いは拡声筒と吹き口とを含むメガホンの全体がフォーム素材から成っているため、全体はより軽量なものとなり、長時間掲げていてもメガホンを起因とする疲れはより少ないものとなるのである。【００１０】  次に、少なくとも前記拡声筒の周りにシュリンクフィルムなどの外装フィルムが被せられているものとすることが出来る。外装フィルムそのものは薄く軽量であるから人に当ったとしてもその下のフォーム素材によりやはりソフトである。フォーム素材の拡声筒はその表面に気泡の凹凸があるため、従来の表面が滑らかなメガホンに比べて印刷のインクの乗りが余り良好でなく、またステッカー等を貼付しても定着性が幾分劣る。しかしながらフォーム素材が外装フィルムで被覆されていれば、この外装フィルム上に美しく印刷したり、安定的にステッカーを貼付したりすることが出来る。従ってカラフルな広告の用途も出て来る。【００１１】  このような外装フィルムを被せたフォームメガホンに付いて、外装フィルムが被せられている部位に首から吊す紐を掛けるための紐通し孔を空けたものとすることが出来る。メガホンを首から下げられるようにする場合や、２個のメガホンを紐で繋げようとする場合には、拡声筒と吹き口との境い辺りに紐を巻いて止めるようにしたり、吹き口の近傍に孔を空けてここに紐を通すようにするのが一般的である。しかしながらフォーム素材には幾分脆い性質があるため、これを補うために外装フィルムを利用するのである。これにより引っ張り破断の問題が軽減される。【００１２】  次に少なくとも前記拡声筒の内側に中芯が形成されているものとしても良い。この発明では、メガホンを手で叩いたり２個のメガホンを叩き合わせて応援する際に、拡声筒がゴムやポリウレタン等のフォーム素材から成るものであるため、破損のおそれがある。これを問題視するのであれば中芯を以て拡声筒を補強するようにすれば良い。この中芯は合成樹脂製の薄い筒状体に成るものが使い易いのであるが、紙製や木製のもの等々を使用することも可能である。【００１３】  またこのような中芯を有するフォームメガホンに付いて、前記拡声筒と前記中芯との間に中空部が形成されているものとすることが出来る。この中空部が恰も太鼓の胴部のように作用して叩いた時に良い音を出すのである。【００１４】  なお少なくとも前記拡声筒の周りに外装フィルムが被せられており且つ少なくとも前記拡声筒の内側に中芯が形成されているものでは、中芯がないものに比べて外装フィルムに皺が付き難いと言う効果がある。中芯のない場合には、拡声筒が柔軟に変形する性質を有するため外装フィルムに折れ皺などの皺が付いてしまう場合があるが、中芯があると拡声筒は当りがソフトになる割には変形が少なくなるためである。【００１５】  また中芯を有するフォームメガホンに付いて、前記中芯のある部位に首から吊す紐を掛けるための紐通し孔が空けられているものとすることが出来る。やはりメガホンを首から下げられるようにする場合や、２個のメガホンを紐で繋げようとする場合には、補強目的の中芯を利用することによって強度の点でより有利なものとすることが出来る。
【発明の効果】
【００１６】  本発明によれば拡声筒をゴムやポリウレタン等のフォーム素材から成るこれまでにないものとしたため、極めてソフトであり、人に当ってもそれほど痛くないものとなっている。
【図面の簡単な説明】
【００１７】
【図１】  第１実施形態の斜視図である。
【図２】  第２実施形態の断面を現わした説明図である。
【図３】  第３実施形態の正面説明図である。
【図４】  第４実施形態の断面を現わした説明図である。
【図５】  第５実施形態の断面を現わした説明図である。
【図６】  第６実施形態を一部断面で現わした説明図である。
【図７】  第７実施形態の説明図である。
【発明を実施するための形態】
【００１８】  以下では本発明の７種類の実施形態を図面を参照しつつ説明するが、本発明はこれ等の実施形態に限定されるものではない。
【００１９】  第１実施形態
図１は第１実施形態のメガホン１を表す。このものはウレタンフォームを拡声筒１０と吹き口１１とその間のくびれ部１２とから成るメガホン１に成型したものである。一般的なポリプロピレン等製のメガホンと比べて壁面が幾分厚くなっているのはウレタンフォームを素材として用いたためである。
【００２０】  しかしながらこのウレタンフォームを用いたことによって、このメガホン１は極めてソフトで軽量なものとなり、人に当ってもそれほど痛くはなくまた長時間掲げていてもメガホンを起因とする疲れはより少ない。
【００２１】  第２実施形態
図２は第２実施形態のメガホン１３を断面図にて表したものである。このものはその殆どの構成を上述した第１実施形態のメガホンに倣うものであるが、表面にシュリンクフィルム３が被せられている点に特徴を有する。すなわちウレタンフォームを拡声筒１４と吹き口１５とその間のくびれ部１６とから成るメガホン１３に成型した後に、その外側に、拡声筒１４と吹き口１５とを覆うシュリンクフィルム３を掛けて成る。
【００２２】  シュリンクフィルム３は薄いものであり、その下側のウレタンフォームの性質を反映するため、人に当ってもそれほど痛くはなくまた長時間持っていても余り重さを感じない。なおシュリンクフィルム３の別効果として拡声筒１４と吹き口１５との補強になる点が上げられる。またシュリンクフィルム３には美麗な印刷を施したり、綺麗なステッカーを貼付することが可能である。
【００２３】  第３実施形態
図３は第３実施形態のメガホン４を表したものである。このものは上述の第１及び第２実施形態のものとは異なり、くびれ部を有さず、ストレート形状の２個一組のメガホン４が紐３２で繋れており、その各々がメガホンとして使えるばかりでなく、これ等を叩き合わせるようにして応援することが出来るものである点に特徴を有する。
【００２４】  メガホン４は中空筒であって、拡声筒４０と吹き口４１とから構成されているが、くびれ部がないためその境界は曖味である。メガホン４の外側表面にはシュリンクフィルム３０が掛けられている。またメガホン４の吹き口４１に近い部位に紐孔４２が開孔されていると共にこの紐孔４２に対応するシュリンクフィルム３０の部位に紐孔３１が開孔されており、この紐孔４２，３１にメガホンを首から提げるための紐３２が通されている。一方のメガホン４のシュリンクフィルム３０の表面にはステッカー３３が貼付されており、また他方のメガホン４のシュリンクフィルム３０の表面にはステッカー３４が貼付されている。なお前記紐孔４２，３１に補強のための鳩目金具を設けても良い。
【００２５】  第４実施形態
図４は第４実施形態のメガホン５を断面図にて表したものである。このものはその殆どの構成を上述した第１実施形態のメガホンに倣うものであるが、拡声筒及び吹き口の内側に中芯が形成されている点に特徴を有する。すなわちウレタンフォームを拡声筒５０と吹き口５１とその間のくびれ部５２とから成るメガホンに成型した後に、その内側に都合良く納まってウレタンフォームに密着する大きさのポリエチレン製の芯部６（中芯である）をはめ合わせて成る。
【００２６】  ポリエチレン製の芯部６は弾性を有するものであるため、手で叩いたり、叩き合せたりしても元の形状に復元し易い。周りはウレタンフォームの拡声筒５０であるため、自己の手を叩いたり人に当ってもそれほど痛くはない。
【００２７】  第５実施形態
図５は第５実施形態のメガホン５３を断面図にて表したものである。このものはその殆どの構成を上述の第４実施形態のメガホンに倣うものであるが、表面にシュリンクフィルム３５が被せられている点に特徴を有する。すなわちウレタンフォームの拡声筒５４と吹き口５５とにこれ等を覆うシュリンクフィルム３５を掛けて成る。なお符号５６は拡声筒５４と吹き口５５との間に形成されたくびれ部である。
【００２８】  更にこのメガホン５３の芯部６０は上述したメガホン５の芯部６とは異なっている。すなわち拡声筒５４内に於いて、芯部６０に拡声筒５４から離れる方向に段部６１，６１が設けられており、この結果芯部６０と拡声筒５４との間に中空部６２が形成されている。この中空部６２があることにより、このメガホン５３を叩いた際により良い音を発することが出来る。
【００２９】  第６実施形態
図６は第６実施形態のメガホン７を、芯部６３を除いて断面図にて表したものである。このものは上述した第５実施形態のメガホン５３のように中空部６５とシュリンクフィルム３６とを備えている。またその形状は上述した第３実施形態のメガホン４に類する。すなわちくびれ部を有さず、ストレート形状の２個一組のメガホン７が紐で繋れており（一方のみ図示する）、その各々がメガホンとして使えるばかりでなく、これ等を叩き合わせるようにして応援することが出来るように構成されている。
【００３０】  メガホン７は中空であって、拡声筒７０とその両端部の吹き口７１及び発音口７２とから構成されている（くびれ部ははっきりしていない）。この中空の拡声筒７０の中に芯部６３が挿着されている。この芯部６３は中空であって、拡声筒７０から離れる方向に段部６４，６４が設けられている。この結果、芯部６３と拡声筒７０との間に叩いた時に良い音を出すための中空部６５が形成されているのである。なお芯部６３の両端部は開口部６６，６７となっており、開口部６６は拡声筒７０の吹き口７１に、開口部６７は拡声筒７０の発音口７２に対応している。また開口部６６の側には、上述した紐を通すための紐孔６８が設けられている。
【００３１】  第７実施形態
図７は第７実施形態のメガホン８を発音口側から見た断面図にて表したものである。このメガホン８は当発明者の発明になる特許３０９９２８４のメガホンをこの発明に適用したものである。このメガホン８はＷメガホンと呼称するものであって、２個の拡声筒８０，８１が１個の吹き口を兼ねる結束筒６０３によって束ねられているものであり、結束筒６０３は吹き口ともなり、この結束筒６０３を持って拡声筒８０，８１の何れか一側を叩くと拡声筒８０，８１が互いに打ち合って打撃音を発生すると言うものである。
【００３２】  大略半円錐形状の拡声筒８０，８１はウレタンフォームから形成されており、その平面側の一部に切欠窓８２，８３が開口されている。また拡声筒８０，８１の内側面にはポリエチレン製の芯部６９，６００が密着されており、芯部６９，６００の一部が打撃部６０１，６０２として互いの方向に突設されており、この打撃部６０１，６０２は前記切欠窓８２，８３から突出している。またこれ等の外周部はシュリンクフィルム３７，３８によって被覆されている。従って拡声筒８０，８１はシュリンクフィルム３７，３８を介して前記打撃部６０１，６０２同士が打撃し合って音を発生するのである。
【００３３】  以上、各種の実施形態を説明したが、この発明はこれ等に限定されるものではなく、例えばメガホンの形状は任意であり、紐を取り付ける場合の紐の種類やその取付方式も自由である。上述した第３実施形態では、２個のメガホン４，４０の互いの大きさや形状を変えたものとして提供することが出来る。
【産業上の利用可能性】
【００３４】  この発明のメガホンは筒の内部にマイクと増幅器とスピーカとから成る拡声器を納めたものとして構成することが可能である。
【符号の説明】
【００３５】  １    メガホン
１０  拡声筒
１１  吹き口
１２  くびれ部
１３  メガホン
１４  拡声筒
１５  吹き口
１６  くびれ部
３    シュリンクフィルム
３０  シュリンクフィルム
３１  紐孔
３２  紐
３３  ステッカー
３４  ステッカー
３５  シュリンクフィルム
３６  シュリンクフィルム
３７  シュリンクフィルム
３８  シュリンクフィルム
４    メガホン
４０  拡声筒
４１  吹き口
４２  紐孔
５    メガホン
５０  拡声筒
５１  吹き口
５２  くびれ部
５３  メガホン
５４  拡声筒
５５  吹き口
５６  くびれ部
６    芯部
６０  芯部
６１  段部
６２  中空部
６３  芯部
６４  段部
６５  中空部
６６  開口部
６７  開口部
６８  紐孔
６９  芯部
６００芯部
６０１打撃部
６０２打撃部
６０３結束筒
７    メガホン
７０  拡声筒
７１  吹き口
７２  発音口
８    メガホン
８０  拡声筒
８１  拡声筒
８２  切欠窓
８３  切欠窓
【図１】
2011059654.tif 000003
【図２】
2011059654.tif 000004
【図３】
2011059654.tif 000005
【図４】
2011059654.tif 000006
【図５】
2011059654.tif 000007
【図６】
2011059654.tif 000008
【図７】
2011059654.tif 000009